(57)【要約】    【課題】  ディスプレイ用の駆動器集積回路において、階調表示のためのＰＷＭ信号の信号線の数を低減させ、信号線が集積回路内で占める面積を減らすと共に、信号線間の干渉を低減させること。    【解決手段】  ＰＷＭ信号を用いて階調表示を行うディスプレイ駆動装置であって、ＰＷＭ信号を生成するＰＷＭ信号発生器（１１）と、ＰＷＭ信号発生器（１１）で生成されたＰＷＭ信号を符号化して符号化ＰＷＭ信号を生成するＰＷＭ符号器（１５）と、符号化ＰＷＭ信号を復号化して復号化ＰＷＭ信号を生成するＰＷＭ復号器（１６）と、復号化ＰＷＭ信号を選択的に出力するスイッチング手段（１７）と、スイッチング手段（１７）を制御するためのディスプレイデータが格納されるデータ格納手段（１３）と、データ格納手段（１３）から出力されるディスプレイデータに応じて、スイッチング手段（１７）の制御信号を出力するＳＲＡＭ復号器（１４）とを備える【選択図】    図２
2005309393.tif 000002
【特許請求の範囲】
【請求項１】
ＰＷＭ信号を用いてディスプレイ画面に階調表示を行うディスプレイ駆動方法であって、
ＰＷＭ信号を符号化して符号化ＰＷＭ信号を生成する符号化ステップと、
受信した前記符号化ＰＷＭ信号を復号化して復号化ＰＷＭ信号を生成する復号化ステップと、
前記復号化ＰＷＭ信号をもとにディスプレイ画面に階調表示を行う表示ステップと
を含むことを特徴とするディスプレイ駆動方法。
【請求項２】
前記符号化ステップが、２ｎのＰＷＭ信号をもとに、ｎの信号と、ＰＷＭ信号のうち最長のパルス幅を有するＰＷＭ信号とを利用してｎ＋１の信号を生成することを特徴とする請求項１に記載のディスプレイ駆動方法。
【請求項３】
前記ディスプレイが２５６カラー表示ディスプレイであり、
前記符号化ステップが、８つのＰＷＭ信号ＰＷ０、ＰＷ１、ＰＷ２、ＰＷ３、ＰＷ４、ＰＷ５、ＰＷ６及びＰＷ７を用いて、演算式
【数１】
2005309393.tif 000011
により４つの信号Ｅ０、Ｅ１、Ｅ２及びＥ３を生成するステップを含み、
前記ＰＷ０、ＰＷ１、ＰＷ２、ＰＷ３、ＰＷ４、ＰＷ５、ＰＷ６及びＰＷ７のパルス幅が、この順に前記ＰＷ０から前記ＰＷ７まで１単位幅ずつ長くなることを特徴とする請求項２に記載のディスプレイ駆動方法。
【請求項４】
前記復号化ステップが、
演算式
【数２】
2005309393.tif 000012
により中間信号を生成する第１ステップと、
演算式
【数３】
2005309393.tif 000013
により前記中間信号から最終のＰＷＭ信号を復号化する第２ステップを含むことを特徴とする請求項３に記載のディスプレイ駆動方法。
【請求項５】
前記ディスプレイが、液晶表示装置であることを特徴とする請求項１〜４の何れか一項に記載のディスプレイ駆動方法。
【請求項６】
ＰＷＭ信号を用いてディスプレイ画面に階調表示を行うディスプレイ駆動装置であって、
ＰＷＭ信号を生成するＰＷＭ信号発生器と、
該ＰＷＭ信号発生器で生成されたＰＷＭ信号を符号化し、符号化ＰＷＭ信号を生成するＰＷＭ符号器と、
前記符号化ＰＷＭ信号を復号化し、復号化ＰＷＭ信号を生成するＰＷＭ復号器と、
前記復号化ＰＷＭ信号を選択的に出力するスイッチング手段と、
該スイッチング手段を制御するためのディスプレイデータが格納されるデータ格納手段と、
該データ格納手段から出力されるディスプレイデータに応じて、前記スイッチング手段にオン／オフ制御信号を出力するＳＲＡＭ復号器と
を備えることを特徴とするディスプレイ駆動装置。
【請求項７】
前記ＰＷＭ符号器が、
２ｎのＰＷＭ信号をもとに、ｎの信号と、ＰＷＭ信号のうち最長のパルス幅を有するＰＷＭ信号とを用いて、ｎ＋１の信号を生成することを特徴とする請求項６に記載のディスプレイ駆動装置。
【請求項８】
前記ディスプレイが２５６カラー表示ディスプレイであり、
前記ＰＷＭ符号器が、
前記ＰＷＭ信号発生器から出力される８つのＰＷＭ信号ＰＷ０、ＰＷ１、ＰＷ２、ＰＷ３、ＰＷ４、ＰＷ５、ＰＷ６及びＰＷ７を用いて、演算式
【数４】
2005309393.tif 000014
により４つの信号Ｅ０、Ｅ１、Ｅ２及びＥ３を生成し、
前記ＰＷ０、ＰＷ１、ＰＷ２、ＰＷ３、ＰＷ４、ＰＷ５、ＰＷ６及びＰＷ７のパルス幅が、この順に前記ＰＷ０から前記ＰＷ７まで１単位幅ずつ長くなることを特徴とする請求項７に記載のディスプレイ駆動装置。
【請求項９】
前記ＰＷＭ復号器が、演算式
【数５】
2005309393.tif 000015
により中間信号を生成し、
演算式
【数６】
2005309393.tif 000016
により前記中間信号から最終のＰＷＭ信号を復号することを特徴とする請求項８に記載のディスプレイ駆動装置。
【請求項１０】
前記ＰＷＭ信号発生器と前記ＰＷＭ符号器とが、一体に集積化されていることを特徴とする請求項６〜請求項９の何れか一項に記載のディスプレイ駆動装置。
【請求項１１】
前記ＰＷＭ復号器と前記ＳＲＡＭ復号器とが、一体の復号器に集積化されていることを特徴とする請求項６〜請求項９の何れか一項に記載のディスプレイ駆動装置。
【請求項１２】
前記ディスプレイが、液晶表示装置であることを特徴とする請求項６〜請求項１１に記載のディスプレイ駆動装置。
【請求項１３】
ＰＷＭ信号を用いてディスプレイ画面に階調を表示するディスプレイ駆動装置であって、
符号化されたＰＷＭ信号を生成するＰＷＭ信号発生器と、
符号化された前記ＰＷＭ信号を復号化し、復号化ＰＷＭ信号を生成するＰＷＭ復号器と、
前記復号化ＰＷＭ信号を選択的に出力するスイッチング手段と、
該スイッチング手段を制御するためのディスプレイデータが格納されるデータ格納手段と、
該データ格納手段から出力されるディスプレイデータに応じて、前記スイッチング手段にオン／オフ制御信号を出力するＳＲＡＭ復号器と
を備えることを特徴とするディスプレイ駆動装置。
【請求項１４】
前記ＰＷＭ信号発生器が、
２ｎのＰＷＭ信号を用いる場合、ｎの信号と、最長のパルス幅を有する前記ＰＷＭ信号とを用いて、ｎ＋１の信号を生成することを特徴とする請求項１３に記載のディスプレイ駆動装置。
【請求項１５】
前記ディスプレイが２５６カラー表示ディスプレイであり、
前記ＰＷＭ信号発生器が、８つのＰＷＭ信号ＰＷ０、ＰＷ１、ＰＷ２、ＰＷ３、ＰＷ４、ＰＷ５、ＰＷ６及びＰＷ７を用いて、演算式
【数７】
2005309393.tif 000017
により決定される４つの信号Ｅ０、Ｅ１、Ｅ２及びＥ３を生成し、
前記ＰＷ０、ＰＷ１、ＰＷ２、ＰＷ３、ＰＷ４、ＰＷ５、ＰＷ６及びＰＷ７のパルス幅が、この順に前記ＰＷ０から前記ＰＷ７まで１単位幅ずつ長くなることを特徴とする請求項１４に記載のディスプレイ駆動装置。
【請求項１６】
前記ＰＷＭ復号器が、
演算式
【数８】
2005309393.tif 000018
により中間信号を生成し、
演算式
【数９】
2005309393.tif 000019
により前記中間信号から最終のＰＷＭ信号を生成することを特徴とする請求項１５に記載のディスプレイ駆動装置。
【請求項１７】
前記ディスプレイが、液晶表示装置であることを特徴とする請求項１３〜請求項１６の何れか一項に記載のディスプレイ駆動装置。
【発明の詳細な説明】
【技術分野】
【０００１】
本発明は、ＬＣＤなどのディスプレイ画面を駆動する駆動回路、特にディスプレイ駆動集積回路において、階調表示機能を実現するために用いられるＰＷＭ信号を符号化し、回路のインターフェス用信号の数を低減する技術に関する。
【背景技術】
【０００２】
近年、ＬＣＤなどのディスプレイの駆動において、複数の階調（Ｇｒａｄａｔｉｏｎ）レベルを有する画像を表示するために、アクティブアドレッシング技術を利用している。代表的なものには、ＦＲＣ（Ｆｒａｍｅ  Ｒａｔｅ  Ｃｏｎｔｒｏｌ）方式、ＰＷＭ（Ｐｕｌｓｅ  Ｗｉｄｔｈ  Ｍｏｄｕｌａｔｉｏｎ）方式、ＡＭ（Ａｍｐｌｅｔｕｄｅ  Ｍｏｄｕｌａｔｉｏｎ）方式がある。
【０００３】
図１は、ＰＷＭ方式の階調表示機能を備えた従来の２５６カラーＬＣＤの駆動器集積回路における、ＰＷＭに基づく階調表示用回路の構成を示すブロック図である。
【０００４】
図１に示しているように、ＰＷＭ発生器１で生成され、出力されたＰＷＭ信号は、２４（＝３×８）の信号線２に沿ってシステム全体に伝送される。
【０００５】
ＳＲＡＭ３には、２５６カラーを実現するために、８ビットのディスプレイデータを格納している。この８ビットデータのうち３ビットは、赤色のレッドＲ階調を、３ビットは、緑色のグリーンＧ階調を表し、そして残りの２ビット及び外部の１ビットを１組にして、青色のブルーＢ階調を表す。
【０００６】
具体的に、カラーＲ、Ｇ、Ｂの諧調は、それぞれの３ビットのデータにより決定され、それに応じてＰＷＭ信号も８つ必要となる。したがって、Ｒ、Ｇ、Ｂ全体を示すためには、合計２４のＰＷＭ信号が用いられる。
【０００７】
ＳＲＡＭ３に格納されたディスプレイデータは、ＬＣＤパネルの１ラインを表示するために、同時にＸアドレスの０番地からｎ番までのデータを出力し、それぞれのデータは、３ビットずつを１つにして３＊８ＳＲＡＭ復号器４を介して、８つのスイッチのうち１つのスイッチをオン（ＯＮ）させることによって、選択された１つのＰＷＭ信号を出力する。
【発明の開示】
【発明が解決しようとする課題】
【０００８】
この時、ＰＷＭ信号は、ＬＣＤのドライバ集積回路内のＳＲＡＭの上方を長く通過する形態に設計され、集積回路全体に占める面積比率が高い。また、信号線の間では、信号間の干渉現象が発生する場合があるため、設計において注意が必要であり、不十分な設計では回路の正常動作に悪影響を及ぼす。
【０００９】
しかも、最近ではディスプレイの表示カラー数に対し、４，０９６カラーや６４Ｋカラーの実現が要求されている。この場合、ディスプレイの駆動器集積回路を従来の方法で構成すると、ＰＷＭ信号線の数は、４，０９６カラーの場合、４８本、６４Ｋの場合、１２８本が必要となり、これによって集積回路全体において、信号線が占める面積も大きくなるため、回路の小型化が困難になる。
【００１０】
本発明は、上述した従来の技術の問題点を解決するためになされたものであって、その目的とするところは、ＬＣＤなどのディスプレイ用の駆動器集積回路の設計において、階調表示のためのＰＷＭ信号の信号線の数を低減させることによって、信号線が集積回路内で占める面積を減らすと共に、信号線の間での干渉現象を低減させることができるディスプレイ駆動装置及びその駆動方法を提供することにある。
【課題を解決するための手段】
【００１１】
上記目的を達成するため、本発明によれば、ＰＷＭ信号を用いてディスプレイ画面に階調表示を行うディスプレイ駆動方法であって、ＰＷＭ信号を符号化して符号化ＰＷＭ信号を生成する符号化ステップと、受信した前記符号化ＰＷＭ信号を復号化して復号化ＰＷＭ信号を生成する復号化ステップと、前記復号化ＰＷＭ信号をもとにディスプレイ画面に階調表示を行う表示ステップとを含むことを特徴とするディスプレイ駆動方法を提供することができる。
【００１２】
また、本発明の別の側面によれば、ＰＷＭ信号を用いてディスプレイ画面に階調表示を行うディスプレイ駆動装置であって、ＰＷＭ信号を生成するＰＷＭ信号発生器と、該ＰＷＭ信号発生器で生成されたＰＷＭ信号を符号化し、符号化ＰＷＭ信号を生成するＰＷＭ符号器と、前記符号化ＰＷＭ信号を復号化し、復号化ＰＷＭ信号を生成するＰＷＭ復号器と、前記復号化ＰＷＭ信号を選択的に出力するスイッチング手段と、該スイッチング手段を制御するためのディスプレイデータが格納されるデータ格納手段と、該データ格納手段から出力されるディスプレイデータに応じて、前記スイッチング手段にオン／オフ制御信号を出力するＳＲＡＭ復号器とを備えることを特徴とするディスプレイ駆動装置を提供することができる。
【００１３】
また、本発明のさらに別の側面によれば、ＰＷＭ信号を用いてディスプレイ画面に階調を表示するディスプレイ駆動装置であって、符号化されたＰＷＭ信号を生成するＰＷＭ信号発生器と、符号化された前記ＰＷＭ信号を復号化し、復号化ＰＷＭ信号を生成するＰＷＭ復号器と、前記復号化ＰＷＭ信号を選択的に出力するスイッチング手段と、該スイッチング手段を制御するためのディスプレイデータが格納されるデータ格納手段と、該データ格納手段から出力されるディスプレイデータに応じて、前記スイッチング手段にオン／オフ制御信号を出力するＳＲＡＭ復号器とを備えることを特徴とするディスプレイ駆動装置を提供することができる。
【００１４】
また、本発明によれば、前記ＰＷＭ符号器でのＰＷＭ信号の符号化は、２ｎのＰＷＭ信号をもとに、ｎの信号と、ＰＷＭ信号のうち最長のパルス幅を有するＰＷＭ信号とを利用してｎ＋１の信号を生成することが好ましい。
【００１５】
また、前記ディスプレイが２５６カラー表示ディスプレイの場合、前記ＰＷＭ信号の符号化において、８つのＰＷＭ信号ＰＷ０、ＰＷ１、ＰＷ２、ＰＷ３、ＰＷ４、ＰＷ５、ＰＷ６及びＰＷ７を用いて、演算式
【００１６】
【数１】
2005309393.tif 000003
により４つの信号Ｅ０、Ｅ１、Ｅ２及びＥ３を生成することがさらに好ましい。
【００１７】
また、前記符号化されたＰＷＭ信号の復号化において、演算式
【００１８】
【数２】
2005309393.tif 000004
により中間信号を生成し、
演算式
【００１９】
【数３】
2005309393.tif 000005
により前記中間信号から最終のＰＷＭ信号を復号化することが好ましい。
【発明の効果】
【００２０】
本発明は、ＰＷＭ信号を用いた階調表示機能を備えたＬＣＤディスプレイ駆動集積回路において、ＰＷＭ信号の送信経路で符号化を行う。その結果、ＰＷＭ信号線の数を低減し、集積回路の全体面積を減らし、信号線間の雑音の影響を軽減できるようになる。また、ディスプレイの表示カラー数が増大することよって、チップ全体が大きくなるという悪影響を最小化できる効果が得られる。
【発明を実施するための最良の形態】
【００２１】
以下、本発明のもっとも好ましい実施の形態を添付する図面を参照して説明する。
【００２２】
図２は、本発明の実施の形態に係るディスプレイ駆動回路の構成を示すブロック図である。
【００２３】
図２に示している回路は、図１に示している従来の回路と基本的な構成は同じである。すなわち、階調表示をするために、ＰＷＭ信号発生器１１によってＰＷＭ信号が生成され、信号線１２に沿ってシステム全体に伝送され、ＳＲＡＭ１３に格納されたディスプレイデータに応じて、ＳＲＡＭ復号器１４によりスイッチ１７をオン／オフし、ＰＷＭ信号がシステム各部に伝送されるのを制御する。
【００２４】
ただし、図２の回路では、図１の回路におけるＰＷＭ信号発生器１１からの信号経路にＰＷＭ符号器１５とＰＷＭ復号器１６とを付加しているので、信号線１２の本数が低減している。
【００２５】
図２に示した本発明の実施の形態において、ＰＷＭ信号線１２の本数は、１２（＝３×４）本であり、これは図１の信号線が２４（＝３×８）本であるのと比較すると、半分に低減している。
【００２６】
図２に示した本発明の実施の形態において、ＰＷＭ発生器１１で生成されるＰＷＭ信号は、図１に示した従来のＰＷＭ発生器１と同じである。図３に示しているように、８つのＰＷＭ信号は、ＰＷ０、ＰＷ１、ＰＷ２、ＰＷ３、ＰＷ４、ＰＷ５、ＰＷ６、ＰＷ７に分類される。ここで、ＰＷＭ信号のパルス幅はＰＷ０からＰＷ７の順で、１単位幅ずつ長くなっているとする。
【００２７】
ＰＷＭ発生器１１からのＰＷＭ信号は、ＰＷＭ符号器１５により符号化されてシステム全体に伝送され、その後システム内の各ブロックに伝送されたＰＷＭ信号は、ＰＷＭ復号器１６により元のＰＷＭ信号に復元され、所望のＰＷＭ波形信号として出力される。
【００２８】
図３は、ＰＷＭ符号器１５により行われるＰＷＭ符号化方法を説明するための波形図である。
【００２９】
ＰＷＭ信号は、常に２ｎの信号として生成される。この２ｎの信号は、相互に異なるパルス幅を有するように、パルスの先頭（立ち上り）をそろえ、パルス幅が変化する部分、即ち立ち下りのタイミングをずらして生成される。
【００３０】
図３は、２５６カラー表示のために用いられる８（＝２３）つのＰＷＭ信号を示す波形図である。図３に示した２５６カラー表示の実施の形態において、Ｒ、Ｇ、Ｂは、それぞれ３ビットのデータを有し、３ビットのデータ値に対応する８つのＰＷＭ信号を使用する。また、上記したように、８つのＰＷＭ信号の変化部分の違いによって、８つの相互に異なるパルス幅を有するＰＷＭ信号を生成する。ここで、ＰＷＭ信号ＰＷ０、ＰＷ１、ＰＷ２、ＰＷ３、ＰＷ４、ＰＷ５、ＰＷ６、ＰＷ７は、この順にパルス幅が増大する。
【００３１】
図３に示したように、ＰＷＭ信号を用いた符号化過程は、２ｎ（図３では８つ）のＰＷＭ信号を用いる場合、ｎ＋１の符号化されたＰＷＭ信号を生成するように行われる。ｎ＋１の符号化されたＰＷＭ信号は、所定の方法で符号化処理されるｎ（図３では３つ）の信号と、ＰＷＭ信号のうち信号がある部分とない部分とを区分するための最長のパルス幅を有する１つのＰＷＭ信号（図３のＰＷ７）である。
【００３２】
符号化されたＰＷＭ信号は、ＰＷＭ信号をもとに次の方法で生成できる。
【００３３】
図３の２５６カラーディスプレイでの８つのＰＷＭ信号を用いる場合を一例にすると、生成された８つのＰＷＭ信号は、３つの符号化された信号と、最長のパルス幅を有するＰＷＭ信号ＰＷ７とである。
【００３４】
８つのＰＷＭ信号から生成されるＰＷＭ符号器１５の各出力信号４ビットは、図３に示しているように、Ｅ０、Ｅ１、Ｅ２及びＥ３（＝ＰＷ７）である。
【００３５】
ここで、Ｅ０信号は、２０の桁の値を表す信号であり、この信号を生成するブール代数式は以下のように示すことができる。
【００３６】
【数４】
2005309393.tif 000006
ここで、式中の信号間の記号「＋」、「Ｅ」はそれぞれ論理和、論理積を表し、信号の上のバーはその信号の反転信号、即ちハイレベルとローレベルとを反転させた信号を表す。
【００３７】
この数式で示したように、符号化される信号は相互に隣接した２つのＰＷＭ信号を組み合わせて生成する。
【００３８】
Ｅ１信号は、２１の桁の値を表す信号であって、上記のブール代数式のようにＰＷＭ信号の２番目、４番目、６番目及び８番目の信号を、次のように演算して生成する。
【００３９】
【数５】
2005309393.tif 000007
Ｅ２信号は、２２の桁の値を表す信号であって、次のブール代数式のようにＰＷＭ信号の４番目及び８番目の信号を組み合わせて生成する。
【００４０】
【数６】
2005309393.tif 000008
図３では、２５６カラー表示のために必要なＰＷＭ信号を使用する場合を一例にして示したが、４,０９６カラーや６４Ｋカラー、それ以上のカラー表示に適用されるＰＷＭ信号も上述の方法と同様に符号化することができる。
【００４１】
例えば、４，０９６カラーの場合、ＰＷＭ信号線の本数は合計１５（５×３（Ｒ、Ｇ、Ｂ））本であり、６４ＫカラーのＰＷＭ信号線の本数は合計２１（７×３（Ｒ、Ｇ、Ｂ））本となる。
【００４２】
このように符号化された信号は、それぞれの処理ブロックに伝えられ、ＰＷＭ復号器１６によって、再び元のＰＷＭ信号（２５６カラーの場合、８つの信号）に変換される。
【００４３】
図４は、元のＰＷＭ信号を復号するための復号化方法の一例を示した波形図である。
【００４４】
復号化方法は、図４に示しているように、２つのステップでの変換により行うことができる。
【００４５】
その第１ステップは、図４のＤ０、Ｄ１、Ｄ２、Ｄ３、Ｄ４、Ｄ５、Ｄ６、Ｄ７の波形を生成するものである。
【００４６】
この波形を生成するには、次のブール代数式を用いる。
【００４７】
【数７】
2005309393.tif 000009
次の第２ステップでは、図４のＰＷＭ信号が復号された中間信号Ｄ０〜Ｄ７に対して、次のブール代数式によって、論理和（ＯＲ）演算を行うことにより、最終的に復号化された信号ＰＷ０、ＰＷ１、ＰＷ２、ＰＷ３、ＰＷ４、ＰＷ５、ＰＷ６、ＰＷ７が生成される。
【００４８】
【数８】
2005309393.tif 000010
この実施の形態では、２５６カラーの場合を例にしたが、符号化及び復号化方法は、ディスプレイの表示可能なカラー数が増加し、ＰＷＭ信号の数が増加しても同じ方法でなされ得る。
【００４９】
ＳＲＡＭ１３には、２５６カラーを実現するために、８ビットのディスプレイデータを格納している。この８ビットのデータのうち、３ビットはレッドＲ階調を、３ビットはグリーンＧ階調を、そして残りの２ビット及び外部の１ビットを一組としてブルーＢ階調を示す。
【００５０】
ＳＲＡＭ１３に格納されたディスプレイデータは、ディスプレイ画面の１ラインを表示するために、同時にＸアドレスの０番地からｎ番までのデータを出力し、それぞれのデータは３ビットを１組にして、３＊８ＳＲＡＭ復号器１４を介して８つのスイッチのうちの１つのスイッチをオン（ＯＮ）させることによって、選択された１つのＰＷＭ信号を出力する。
【００５１】
図５は、本発明によって構成されたＰＷＭに基づく階調表示機能を有するＬＣＤドライバ回路において、ＳＲＡＭ復号器１４、ＰＷＭ符号器１５、ＰＷＭ復号器１６、及びＰＷＭ信号発生器（図示せず）の結線状態を示すブロック図である。
【００５２】
図５では、ＰＷＭ符号器１５及びＰＷＭ復号器１６を独立した集積回路チップとして実現した。ＰＷＭ符号器１５とＰＷＭ復号器１６との間の信号線は、符号化されたＰＷＭ信号の３つの信号線Ｅ０、Ｅ１、Ｅ２と、最上位のＰＷＭ信号の信号線ＰＷ７（Ｅ３）との４つであり、このディスプレイ駆動回路は２５６カラーを表示することができる。
【００５３】
しかし、本発明は上記の例に限定されない。
【００５４】
例えば、ＰＷＭ復号器１６は、ＳＲＡＭ復号器１４と統合された単一チップの形態として集積化でき、スイッチ１７を含み得る。
【００５５】
また、ＰＷＭ符号器１５は、ＰＷＭ信号発生器１１と統合された単一チップの形態として集積化され得る。しかも、これらが単一チップの形態で集積化される場合には、固有の機能を有し、独立して作動するＰＷＭ信号発生器１１と、ＰＷＭ符号器１５とを物理的にだけ統合するのではなく、機能的に完全統合してＰＷＭ信号発生器１１によってＰＷＭ信号ＰＷ０、ＰＷ１、ＰＷ２、ＰＷ３、ＰＷ４、ＰＷ５、ＰＷ６を生成する代わりに、図２のＰＷＭ符号器１５の出力信号である符号化されたＰＷＭ信号Ｅ０、Ｅ１、Ｅ２、Ｅ３（ＰＷ７）を直接出力するように設計されてもよい。
【００５６】
図６は、図５に示したＰＷＭ符号器１５の一例を示す回路図であり、上述の例のブール代数式に対応するロジック回路として実現した論理回路図である。ＰＷＭ符号器１５は、図３に示しているようにＰＷＭ信号発生器１１の入力信号ＰＷ０、ＰＷ１、ＰＷ２、ＰＷ３、ＰＷ４、ＰＷ５、ＰＷ６、ＰＷ７を受信し、図３に示しているような出力信号Ｅ０、Ｅ１、Ｅ２を出力する。
【００５７】
図７は、図５に示したＰＷＭ復号器１６の一例を示す回路図であり、上述のブール代数式に対応するロジック回路として実現した論理回路図である。
【００５８】
ＰＷＭ符号器１５から生成され、信号線１２に沿って伝送された符号化されたＰＷＭ信号Ｅ０、Ｅ１、Ｅ２、及び最長のＰＷＭ信号ＰＷ７（＝Ｅ３）を用いて、復号された元のＰＷＭ信号ＰＷ０、ＰＷ１、ＰＷ２、ＰＷ３、ＰＷ４、ＰＷ５、ＰＷ６、ＰＷ７を出力する。
【００５９】
図８は、図５に示している３＊８ＳＲＡＭ復号器１４とスイッチ回路１７（図２）とを示す回路図である。ＳＲＡＭ復号器１４から出力されるディスプレイデータ（ＤＤ）をもとに、８個のＰＷＭ信号ＰＷ０、ＰＷ１、ＰＷ２、ＰＷ３、ＰＷ４、ＰＷ５、ＰＷ６、ＰＷ７（図５及び図８のＰＷＯ０〜ＰＷＯ７に対応）のうち１つを選択して出力する。
【００６０】
図９は、図５及び図６に示しているＰＷＭ符号器１５を用いてＰＷＭ信号を符号化する場合の、回路の各部分での信号波形を示すタイミングチャートである。
【００６１】
また、図１０は、図５及び図７に示しているＰＷＭ復号器１６を用いて、符号化された信号（Ｅ０〜Ｅ３）を復号化するステップのうち、第１ステップ後の波形Ｄ０（ＰＷ０）、Ｄ１、Ｄ２、Ｄ３、Ｄ４、Ｄ５、Ｄ６、Ｄ７（＝ＰＷ７）を示すタイミングチャートである。図１１は、図１０での復号化の第２ステップの結果を示すタイミングチャートであって、第１ステップの出力信号Ｄ０〜Ｄ６及びＤ７（＝ＰＷ７）を用いて、ＰＷＭ信号を復合化し、最終的に得られた信号波形を示している。
【００６２】
図１２は、図１１に示した復号化処理の第２ステップの出力信号ＰＷＯ０〜ＰＷＯ６及びＰＷ７（＝ＰＷＯ７）を用いて、ＳＲＡＭのディスプレイデータＤＤの値（０〜７）に対応するＰＷＭ信号が、即ち、ＰＷＯ０〜ＰＷＯ６及びＰＷ７の中から選択された１つの信号が、最終出力ＰＷＭＯＵＴとして出力される様子を示すタイミングチャートである。
【００６３】
図９〜図１２から、図５の回路における各要素が設計された通りに機能していることが確認できる。
【００６４】
以上、本発明に係るＰＷＭに基づく階調表示機能を備えたＬＣＤドライバ回路の構成を、２５６カラー表示の場合を一例として説明したが、その根本的な原理は実施の形態として説明した２５６カラーの場合に限定されず、４，０９６カラーや６４Ｋカラーの場合にも同様に適用できる。
【００６５】
尚、本発明は、上記した実施の形態に限定されるものではなく、本発明の技術的思想から逸脱しない範囲内で種々変更することが可能であり、それらも本発明の技術的範囲に属する。
【図面の簡単な説明】
【００６６】
【図１】ＰＷＭ階調表示機能を備えた従来のディスプレイ駆動集積回路の構成を示すブロック図である。
【図２】本発明に係るディスプレイ駆動集積回路の構成を示すブロック図である。
【図３】図２のＰＷＭ符号器で生成される符号化されたＰＷＭ信号を示すタイミングチャートである。
【図４】図２のＰＷＭ符号器で符号化されたＰＷＭ信号から、元のＰＷＭ信号を復元する過程を説明するためのタイミングチャートである。
【図５】図２の構成のうち、ＰＷＭ符号器、ＰＷＭ復号器及びＳＲＡＭ復号器の構成と、それらの入出力信号とを示すブロック図である。
【図６】図５の構成のうち、ＰＷＭ符号器の内部構成の一例を示す論理回路図である。
【図７】図５の構成のうち、ＰＷＭ復号器の内部構成の一例を示す論理回路図である。
【図８】図５の構成のうち、ＳＲＡＭ符号器及びスイッチング回路とを一つにした構成の一例を示す論理回路図である。
【図９】図５〜図８に示した各回路内部での信号状態を示すタイミングチャートである。
【図１０】図５〜図８に示した各回路内部での信号状態を示すタイミングチャートである。
【図１１】図５〜図８に示した各回路内部での信号状態を示すタイミングチャートである。
【図１２】図５〜図８に示した各回路内部での信号状態を示すタイミングチャートである。
【符号の説明】
【００６７】
１、１１    ＰＷＭ信号発生器
２、１２    ＰＷＭ信号線
３、１３    ＳＲＡＭ
４、１４    ＳＲＡＭ復号器
５、１７    スイッチ
１５      ＰＷＭ符号器
１６      ＰＷＭ復号器
【図１】
2005309393.tif 000020
【図２】
2005309393.tif 000021
【図３】
2005309393.tif 000022
【図４】
2005309393.tif 000023
【図５】
2005309393.tif 000024
【図６】
2005309393.tif 000025
【図７】
2005309393.tif 000026
【図８】
2005309393.tif 000027
【図９】
2005309393.tif 000028
【図１０】
2005309393.tif 000029
【図１１】
2005309393.tif 000030
【図１２】
2005309393.tif 000031